(57)【特許請求の範囲】
【請求項１】
複数のネットワークが設けられ、かつ前記ネットワークに複数のプリンタが接続されている場合、前記プリンタの各々に前記ネットワークを介して接続され、通信プロトコルを用いてコネクションを確立して画像データを当該プリンタに出力する画像撮影装置であって、
プリンタとの接続履歴をネットワーク別に保存する保存手段と、その保存結果を表示する表示手段とを備え、
画像撮影装置本体が、あるネットワークに接続されたとき、当該ネットワークにおけるプリンタとの接続履歴が前記表示手段に表示されることを特徴とする画像撮影装置。
【請求項２】
前記表示手段に表示された接続履歴のうちの一つのプリンタを指定すると、当該プリンタとの間にコネクションが自動的に確立されることを特徴とする請求項１に記載の画像撮影装置。
【請求項３】
複数のネットワークが設けられ、かつ前記ネットワークに複数のプリンタが接続されている場合、前記プリンタの各々に前記ネットワークを介して画像撮影装置本体を接続し、通信プロトコルを用いて前記プリンタと前記画像撮影装置本体間にコネクションを確立して、前記画像撮影装置本体内の画像データを前記プリンタに転送したとき、
プリンタとの接続履歴をネットワーク別に保存する一方、
前記画像撮影装置本体が、あるネットワークに接続されたとき、当該ネットワークにおけるプリンタとの接続履歴が前記画像撮影装置本体上に表示されることを特徴とする画像撮影装置の運用方法。
【請求項４】
前記画像撮影装置本体上に表示された接続履歴のうちの一つのプリンタを指定すると、当該プリンタとの間にコネクションが自動的に確立されることを特徴とする請求項３に記載の画像撮影装置の運用方法。
【発明の詳細な説明】
【技術分野】
【０００１】
本発明は、ネットワークを介してプリンタに接続され、通信プロトコルを用いてプリンタとの間にコネクションを確立して画像データをプリンタに出力する画像撮影装置、及び画像撮影装置の運用方法に関する。
【背景技術】
【０００２】
従来より、デジタルカメラ及びプリンタをローカルエリアネットワークに接続し、デジタルカメラ内の画像データをローカルエリアネットワークを介してプリンタに送信して、プリントアウトする画像データ送受信システムが知られている（例えば、特許文献１参照）。
【０００３】
また、デジタルカメラとしては、ＰＴＰＩＰプロトコル対応のものがある。このＰＴＰＩＰプロトコル対応のデジタルカメラにおいては、クライアントとしてのパーソナルコンピュータから接続開示要求があると、これに応答してパーソナルコンピュータとの間にコネクションが確立され、デジタルカメラ内の画像データの転送を自動的に行うことができる。
【特許文献１】特開２００４−１５９２８１号公報
【発明の開示】
【発明が解決しようとする課題】
【０００４】
しかしながら、一般にローカルエリアネットワークには複数のプリンタが接続されているので、ユーザが以前にどのプリンタに接続してプリントアウトしたのか分からなくなってしまう場合がある。例えば、以前、近くのプリンタにプリントアウトして便利さを感じたが、そのプリンタのＩＰアドレスが分からないと、当該プリンタに再度プリントアウトすることができず、ユーザは非常に不便を感じる。また、以前、どのプリンタにプリントアウトしたのかが不明であるときも、ユーザは不便を感じる。
【０００５】
本発明の課題は、以前に接続したプリンタをユーザが容易に判別することのできる画像撮影装置、及び画像撮影装置の運用方法を提供することにある。
【課題を解決するための手段】
【０００６】
上記課題を解決するために、請求項１に記載の発明は、複数のネットワークが設けられ、かつ前記ネットワークに複数のプリンタが接続されている場合、前記プリンタの各々に前記ネットワークを介して接続され、通信プロトコルを用いてコネクションを確立して画像データを当該プリンタに出力する画像撮影装置であって、プリンタとの接続履歴をネットワーク別に保存する保存手段と、その保存結果を表示する表示手段とを備え、画像撮影装置本体が、あるネットワークに接続されたとき、当該ネットワークにおけるプリンタとの接続履歴が前記表示手段に表示されることを特徴としている。
【０００７】
上記構成によれば、プリンタとの接続履歴をネットワーク別に保存し、その保存結果が表示手段に表示されるので、ユーザは表示手段上の表示内容を見ることにより、以前に接続したプリンタを容易に判別することができる。
しかも、画像撮影装置本体がネットワークに接続されたとき、そのネットワークおける接続履歴だけが表示されるので、接続履歴の判別が容易となる。
【００１０】
請求項２に記載の発明は、請求項１において、前記表示手段に表示された接続履歴のうちの一つのプリンタを指定すると、当該プリンタとの間にコネクションが自動的に確立されることを特徴としている。
【００１１】
上記構成によれば、表示手段に表示されたプリンタのうち一つを選択して指定することにより、当該プリンタとの間にコネクションが自動的に確立され、コネクションの確立をワンタッチで行うことができる。
【００１２】
請求項３乃至４に記載の発明は、画像撮影装置の運用方法についての発明である。すなわち、請求項３に記載の発明は、複数のネットワークが設けられ、かつ前記ネットワークに複数のプリンタが接続されている場合、前記プリンタの各々に前記ネットワークを介して画像撮影装置本体を接続し、通信プロトコルを用いて前記プリンタと前記画像撮影装置本体間にコネクションを確立して、前記画像撮影装置本体内の画像データを前記プリンタに転送したとき、プリンタとの接続履歴をネットワーク別に保存する一方、前記画像撮影装置本体が、あるネットワークに接続されたとき、当該ネットワークにおけるプリンタとの接続履歴が前記画像撮影装置本体上に表示されることを特徴としている。
【００１４】
請求項４に記載の発明は、請求項３において、前記画像撮影装置本体上に表示された接続履歴のうちの一つのプリンタを指定すると、当該プリンタとの間にコネクションが自動的に確立されることを特徴としている。
【発明の効果】
【００１５】
本発明によれば、プリンタとの接続履歴をネットワーク別に保存するとともに、その保存結果が表示されるので、ユーザは、以前に接続したプリンタをネットワーク毎に容易に判別することができる。
【発明を実施するための最良の形態】
【００１６】
以下、本発明の実施例を図面に従って説明する。
【実施例】
【００１７】
図１は、複数台（ここでは２台）のプリンタＡ１，Ａ２が接続されたローカルエリアネットワーク（以下、ＬＡＮという）Ａと、複数台（ここでは２台）のプリンタＢ１，Ｂ２が接続されたＬＡＮ Ｂとを示している。本発明に係る画像撮影装置（デジタルカメラ）１は、ＬＡＮ Ａに接続されたときは、通信プロトコルを用いてプリンタＡ１もしくはＡ２との間にコネクションを確立し、画像データをプリンタＡ１もしくはＡ２に送信する。また、デジタルカメラ１は、ＬＡＮ Ｂに接続されたときは、通信プロトコルを用いてプリンタＢ１もしくはＢ２との間にコネクションを確立し、画像データをプリンタＢ１もしくはＢ２に送信する。そして、プリンタＡ１もしくはＡ２に、またはプリンタＢ１もしくはＢ２に画像データがプリントアウトされる。なお、本実施例では、ＬＡＮ Ａは自宅におけるＬＡＮであり、ＬＡＮ Ｂは会社におけるＬＡＮである。また、デジタルカメラ１は、ＬＡＮ ＡとＬＡＮ Ｂとの間で移動可能である。
【００１８】
図２は、デジタルカメラ１の内部構成を示すブロック図である。デジタルカメラ１は、プリンタＡ１，Ａ２およびプリンタＢ１，Ｂ２と、ＵＳＢやブルートゥース（Blue Tooth）を用いて通信する。またデジタルカメラ１は、情報を記憶するフラッシュメモリなどの外部記憶装置１１と、ＣＣＤ、ＡＤ変換器など画像情報の入力部である撮像装置１２と、各種情報の表示装置１３と、外部からの入力を行う操作卓１４と、ＬＡＮ Ａ，Ｂと接続するための通信装置１５と、デジタルカメラ全体を制御する全体制御装置１６とを有する。
【００１９】
全体制御装置１６は周知のマイクロコンピュータにより構成され、この全体制御装置１６においては、ＣＰＵ１６ＡがＲＯＭ１６Ｂ、ＲＡＭ１６Ｃ及びＩ／Ｏポート（入出力ポート）１６Ｄがバスライン１６Ｅで結ばれている。
【００２０】
なお、本実施例においては、保存手段は外部記憶装置１１内に、表示手段は表示装置１３内に含まれている。
【００２１】
次に、上記構成において、デジタルカメラ１をＬＡＮ Ａ又はＢに接続したとき、デジタルカメラ１とプリンタＡ１もしくはＡ２間、またはデジタルカメラ１とプリンタＢ１もしくはＢ２間には、図３に示すようなやり取りが実行される。
【００２２】
例えば、プリンタＡ１側からデジタルカメラ１側に通信開始要求のコマンドが送信される。このとき、通信開始要求のコマンドのパケット構造は図４のようになっている。
【００２３】
通信開始要求のコマンドを受信すると、デジタルカメラ側では画像データのプリンタ側への送信がＯＫか否か判断し、ＯＫであればデジタルカメラ側からプリンタ側に通信開始応答のコマンドが送信される。このとき、通信開始応答のコマンドのパケット構造は図５のようになっている。
【００２４】
なお、デジタルカメラ側では通信開始要求のコマンドを受信して、画像データのプリンタ側への送信がＯＫでなければ、デジタルカメラ側からプリンタ側に通信開始拒否のコマンドを送信する。このとき、通信開始拒否のコマンドのパケット構造は図６のようになっている。
【００２５】
次に、本実施例における画像撮影装置の動作について、図７及び図８に示すフローチャートを用いて説明する。なお、図７は通信履歴テーブル作成の動作を、図８は通信履歴テーブル参照の動作をそれぞれ示している。
【００２６】
図７において、プリンタと接続して印刷が完了すると（ステップＳ１０）、自分のＩＰアドレスからネットワークアドレスを割り出す（ステップＳ１１）。ＩＰアドレスとサブネットマスク値の論理積で求まる。ネットワークアドレスを基に相手プリンタのＩＰアドレスなどプリンタ情報を図９の通信履歴テーブルに登録する。割り出したネットワークアドレスは、ネットワークアドレス登録部に既に登録されているかチェックする。未登録であれば追加登録する（ステップＳ１２）。ネットワークアドレス登録部とリンケージされているプリンタ情報登録部を割り出し、相手プリンタのＩＰアドレスなどをプリンタ情報登録部に追加登録する。既に登録済みであれば、追加登録は不要である。
【００２７】
また、プリンタ情報登録部には、優先度を設けても良い。直前に通信したプリンタを登録部の最上部に移動し、既存の登録プリンタは一つづつ下にずらすなどする。さらに、プリンタ情報登録部にはＩＰアドレスの他にも相手プリンタと接続するための様々な情報を登録しても良い。例えば、デジタルカメラとプリンタ間の通信プロトコルに関する情報がある。一般的なＦＴＰであれば、ユーザ名とパスワードが接続するための情報であるし、他のプロトコルであれば、そのプロトコル固有の接続情報となる。以上のような登録データ例を図１０に示す。
【００２８】
図８において、印刷開始操作があると（ステップＳ２０）、自分のＩＰアドレスからネットワークアドレスを割り出す（ステップＳ２１）。割り出したネットワークアドレスと同じアドレスをネットワークアドレス登録部より検索する。検出されたネットワークアドレス登録部とリンケージされているプリンタ情報登録部を割り出し、プリンタ情報を取り出し、画面に表示する（ステップＳ２２）。表示例を図１１に示す。
【００２９】
図１１は、デジタルカメラ１を自宅のＬＡＮ Ａに接続した場合の表示例であり、デジタルカメラ１内の画像データをプリンタＡ１，Ａ２にプリントアウトした履歴が表示されている。そして、例えば、ユーザがプリンタＡ１を指定すれば、図１２に示すような画面が表示装置１３（図２参照）に表示され、デジタルカメラ１とプリンタＡ１との通信が開始される。このとき、通信終了のボタン２０を操作すれば、プリンタＡ１との通信が直ちに終了する。
【００３０】
図１３は、図１１において、プリンタＡ１を指定したときに、さらにパスワード入力欄２１にパスワードを入力しなければ、デジタルカメラ１とプリンタＡ１との通信が開始されないように設定された画面を示している。このようにすれば、セキュリティの向上を図ることができる。
【００３１】
図１４は、デジタルカメラ１とＬＡＮ Ａ上のパソコンとが通信を開始する際に、無条件で応答するか、選択許可画面（図１１の表示画面）で応答するか、パスワード入力（図１３の表示画面）にて応答するかを、それぞれボタン２２，２３，２４によって選択できるよう設定された画面を示している。
【００３２】
なお、デジタルカメラ１を会社のＬＡＮ Ｂに接続した場合も、図１１〜図１４と略同様な表示画面で表示される。
【００３３】
本実施例によれば、プリンタとの接続履歴をネットワーク別に保存し、その保存結果が表示装置１３に表示されるので、ユーザは表示装置１３上の表示内容を見ることにより、以前に接続して、デジタルカメラ１内の画像データをプリントアウトしたプリンタを容易に判別することができる。
【図面の簡単な説明】
【００３４】
【図１】ＬＡＮ Ａ及びＬＡＮ Ｂの概略構成図である。
【図２】デジタルカメラの内部構成を示すブロック図である。
【図３】プリンタとデジタルカメラとの間における通信開始の際のシーケンス図である。
【図４】通信開始要求のパケット構造を示す図である。
【図５】通信開始応答のパケット構造を示す図である。
【図６】通信開始拒否のパケット構造を示す図である。
【図７】通信履歴テーブル作成の動作を説明するフローチャートである。
【図８】通信履歴テーブル参照の動作を説明するフローチャートである。
【図９】通信履歴テーブルを示す図である。
【図１０】プリンタ情報の登録例を示す図である。
【図１１】通信履歴表示画面の一例を示す図である。
【図１２】通信中画面の一例を示す図である。
【図１３】パスワードの入力画面の一例を示す図である。
【図１４】コンフィグ画面の一例を示す図である。
【符号の説明】
【００３５】
１  デジタルカメラ
１１  外部記憶装置
１２  撮像装置
１３  表示装置
１４  操作卓
１５  通信装置
１６  全体制御装置
Ａ  ローカルエリアネットワーク（ＬＡＮ）
Ａ１，Ａ２  プリンタ
Ｂ  ローカルエリアネットワーク（ＬＡＮ）
Ｂ１，Ｂ２  プリンタ
【図１】
0004570530.tif 000002
【図２】
0004570530.tif 000003
【図３】
0004570530.tif 000004
【図４】
0004570530.tif 000005
【図５】
0004570530.tif 000006
【図６】
0004570530.tif 000007
【図７】
0004570530.tif 000008
【図８】
0004570530.tif 000009
【図９】
0004570530.tif 000010
【図１０】
0004570530.tif 000011
【図１１】
0004570530.tif 000012
【図１２】
0004570530.tif 000013
【図１３】
0004570530.tif 000014
【図１４】
0004570530.tif 000015